(57)【要約】【課題】  入浴中のずり込みを防止し安全に入浴することができるとともに浴槽の深さ寸法を低減することができ浴槽の省湯量化を図ることができる入浴装置を提供すること。【解決手段】  背もたれ部１１と、座部４５とを有する担架４と、担架４を受ける受け部７が内方に設けられる浴槽３と、を備え、受け部７上に担架４を載置した状態で浴槽３を上昇動作させて入浴を行う入浴装置であって、少なくとも受け部７上に載置された担架４の座部４５に対応する側の浴槽３の底壁３ｄを他の底壁３ａより高位になるように形成し、浴槽３の上昇動作に随伴して少なくとも座部４５の先側が高位の底壁３ｄ部分によって押し上げられるよう上方に傾動する構成とした。【選択図】図３
2011067465.tif 000002
【特許請求の範囲】
【請求項１】
背もたれ部と、座部とを有する担架と、
該担架を受ける受け部が内方に設けられる浴槽と、を備え、
前記受け部上に前記担架を載置した状態で前記浴槽を上昇動作させて入浴を行う入浴装置であって、
少なくとも前記受け部上に載置された前記担架の前記座部に対応する側の前記浴槽の底壁を他の底壁より高位になるように形成し、
前記浴槽の上昇動作に随伴して少なくとも前記座部の先側が前記高位の底壁部分によって押し上げられるように上方に傾動することを特徴とする入浴装置。
【請求項２】
背もたれ部と、臀部受け部と、脚受け部とを有する担架と、
該担架を受ける受け部が内方に設けられる浴槽と、を備え、
前記受け部上に前記担架を載置した状態で前記浴槽を上昇動作させて入浴を行う入浴装置であって、
少なくとも前記受け部上に載置された前記担架の前記脚受け部に対応する側の前記浴槽の底壁部分を他の底壁部分より高位になるように形成し、
前記浴槽の上昇動作に随伴して少なくとも前記脚受け部の先側が前記高位の底壁部分によって押し上げられるように上方に傾動することを特徴とする入浴装置。
【請求項３】
請求項１または請求項２記載の入浴装置において、
少なくとも前記座部または前記脚受け部の先側を所定角度以上には上方へ傾動しないように規制する規制手段が備えられることを特徴とする入浴装置。
【請求項４】
請求項１または２記載の入浴装置において、
前記担架が前記受け部上の所定位置に載置されているとき以外は、少なくとも前記座部または前記脚受け部の先側の上方への傾動が抑制されることを特徴とする入浴装置。
【発明の詳細な説明】
【技術分野】
【０００１】
本発明は、高齢者や身体障害者等の入浴者を仰臥位姿勢で浴槽に浸漬させ入浴させる入浴装置に関するものである。
【背景技術】
【０００２】
従来より、仰臥位姿勢の入浴者を載せた担架を浴槽内の支持台上に移乗させた後、浴槽を昇降機構により上昇させて入浴者を入浴させる入浴装置が知られている（例えば、非特許文献１）。この入浴装置に用いられる担架は、脚受け部を手動により山形状に変形することで入浴時の入浴者のずり込みを防止することができるようなっている。
【先行技術文献】
【非特許文献】
【０００３】
【非特許文献１】ＧＥＮＥＲＡＬ  ＣＡＴＡＬＯＧ２００９、オージー技研株式会社、６３〜６８頁
【発明の概要】
【発明が解決しようとする課題】
【０００４】
しかし、脚を屈曲させることが困難な入浴者にあっては、脚受け部を手動により山形状に変形してずり込みを防止することが出来ず、よって、入浴中に浴槽内にずり込んでしまい溺れるという危険性が危惧されていた。
【０００５】
また、従来の担架は、脚受け部、または脚受け部及び臀部受け部の全体が、その先端側が上方に持ち上がるように傾動する構成になっていないがゆえに、浴槽が上昇してきた際、支持台上に載せられた担架の脚部受け部の先端側が浴槽底壁に衝突干渉しないよう脚部受け部の先端側に対応する側の浴槽深さ寸法も予め充分確保しておく必要があり、これが担架の脚受け部側の深さ寸法を低減し浴槽の省湯量化を実現するという課題を妨げる要因となっていた。
【０００６】
本発明は上記事情に鑑みてなされたもので、入浴中のずり込みを防止し安全に入浴することができるとともに浴槽の深さ寸法を低減することができ浴槽の省湯量化を図ることができる入浴装置を提供することを目的とする。
【課題を解決するための手段】
【０００７】
上記目的を実現する為、請求項１記載の発明は、背もたれ部と、座部とを有する担架と、
該担架を受ける受け部が内方に設けられる浴槽と、を備え、
前記受け部上に前記担架を載置した状態で前記浴槽を上昇動作させて入浴を行う入浴装置であって、
少なくとも前記受け部上に載置された前記担架の前記座部に対応する側の前記浴槽の底壁を他の底壁より高位になるように形成し、
前記浴槽の上昇動作に随伴して少なくとも前記座部の先側が前記高位の底壁部分によって押し上げられるように上方に傾動することを特徴とする入浴装置である。
【０００８】
請求項２記載の発明は、背もたれ部と、臀部受け部と、脚受け部とを有する担架と、
該担架を受ける受け部が内方に設けられる浴槽と、を備え、
前記受け部上に前記担架を載置した状態で前記浴槽を上昇動作させて入浴を行う入浴装置であって、
少なくとも前記受け部上に載置された前記担架の前記脚受け部に対応する側の前記浴槽の底壁部分を他の底壁部分より高位になるように形成し、
前記浴槽の上昇動作に随伴して少なくとも前記脚受け部の先側が前記高位の底壁部分によって押し上げられるように上方に傾動することを特徴とする入浴装置である。
【０００９】
請求項３記載の発明は、請求項１または請求項２記載の入浴装置において、
少なくとも前記座部または前記脚受け部の先側を所定角度以上には上方へ傾動しないように規制する規制手段が備えられることを特徴とする。
【００１０】
請求項４記載の発明は、請求項１または２記載の入浴装置において、
前記担架が前記受け部上の所定位置に載置されているとき以外は、少なくとも前記座部または前記脚受け部の先側の上方への傾動が抑制されることを特徴とする。
【発明の効果】
【００１１】
請求項１記載の発明によれば、少なくとも受け部上に載置された担架の座部に対応する側の浴槽の底壁部分を他の底壁部分より高位になるように形成にし、浴槽の上昇動作に随伴して少なくとも座部の先側が高位の底壁部分によって押し上げられるように上方に傾動する構成したので、脚を屈曲させること自体が困難な入浴者であっても、脚先側が上方へ自然と押し上げられるため、入浴中の浮力による浴槽内へのずり込みを防止することがでる。また、座部に対応する側の浴槽の深さ寸法を低減することができ省湯量化が図れ、浴槽内槽自体の小型化を実現できることになる。
【００１２】
さらに、脚先側が上方に押し上げられることで、浴槽越しに行う入浴介助者による入浴者の脚部マッサージがし易くなるというメリットも有する。加えて、高位に形成した底壁部分の下方にできる空間スペースにも浴槽配管や浴槽昇降機構等の各構成部材を配設することが可能となるので、底壁下方の空間スペースを有効活用でき、構成部材配置上の自由度を拡げることができる。
【００１３】
請求項２記載の発明によれば、少なくとも受け部上に載置された担架の脚受け部に対応する側の浴槽の底壁部分を他の底壁部分より高位になるように形成し、浴槽の上昇動作に随伴して少なくとも脚受け部の先側が高位の底壁部分によって押し上げられるように上方に傾動するので、請求項１記載の発明と同様の効果を得ることができる。
【００１４】
請求項３記載の発明によれば、少なくとも座部または脚受け部の先側を所定角度以上には上方へ傾動しないように規制する規制手段が備えられるので、座部または脚受け部が不必要に傾動することを防止でき安全性を担保することができる。
【００１５】
請求項４記載の発明によれば、担架が受け部上の所定位置に載置されているとき以外は、少なくとも座部または脚受け部の先側の上方への傾動が抑制されるので、担架がストレッチャー上に載置されているときなどに不用意に座部または脚受け部が上方へ傾動することはなく安全であり、担架上の入浴者に不安感を抱かせることもない。
【図面の簡単な説明】
【００１６】
【図１】本発明の第一の実施形態に係る入浴装置の斜視図である。
【図２】本発明の第一の実施形態に係る担架の平面図である。
【図３】図２におけるＡ−Ａ矢視方向の要部断面図である。
【図４】本発明の第一の実施形態に係る担架を後面方向から見た部分拡大斜視図である。
【図５】本発明の第一の実施形態に係る浴槽の上昇動作と担架の傾動との関連を説明する図で、ａ）は浴槽が所定下限位置にある状態、ｂ）は浴槽が上昇途中にある状態、ｃ）は浴槽が所定上限位置にある状態を示すものである。
【図６】本発明の第二の実施形態に係る担架の要部断面図である。
【図７】本発明の第三の実施形態に係る担架の要部拡大断面図である。
【図８】図７におけるＡで示す領域部分の拡大図である。
【図９】本発明の第三の実施形態に係る入浴装置の斜視図である。
【図１０】本発明の第三の実施形態を説明する模式図である。
【発明を実施するための形態】
【００１７】
以下、図１ないし５を参照しつつ本発明の実施形態について説明する。図１に示すように、本発明の入浴装置１は、浴槽３と、担架４と、ストレッチャー５とから構成される。入浴装置１は、入浴者が仰臥姿勢で横たわる担架４を載せた平面視略長方形状のストレッチャー５の一方長辺方向を、平面視略長方形状の浴槽３の一方長辺方向に対して横付けし両者を係合し、担架４をストレッチャー５上から浴槽３の入浴部６内に設けられる受け部７方向に渡した後、入浴部６内に湯を給湯した浴槽３を上昇させることにより入浴者を湯に浸漬して入浴を行わせるものである。
【００１８】
浴槽３は不図示のパンタグラフや油圧シリンダ等より構成される浴槽昇降手段によって、所定下限位置と所定上限位置の区間を上下に昇降可能に構成され、入浴部６内には、底壁３ａを貫通して鉛直状に延設される支柱部７ａと、この支柱部７ａの上端部に担架４を支持する受け枠部７ｂとから構成される受け部７が設けられている。
【００１９】
入浴部６長辺方向において対向する内壁の形状は、ストレッチャー５と浴槽３とを係合したときの入浴者の頭部が位置する側の内壁３ｂが上方から下方にかけて傾斜面６６に連続する垂直面に形成され、一方、入浴者の脚部が位置する側の内壁３ｃは底壁３ｄが底壁３ａに対し高位となる階段形状に形成され、この底壁３ｄの階段面４４は浴槽３中央方向に向かって下降するように傾斜状に形成されている（図５参照）。
【００２０】
受け枠部７ｂの上面左右端の各位置には、入浴者が仰臥姿勢で載置される担架４を受け枠部７ｂ上の所定位置に案内する案内レール８・８が、所定の間隔を有して浴槽３の短辺と同方向に平行態様に配設されている。受け枠部７ｂの中央部付近には担架４の下面に設けられるセンターロックピン２５が嵌入する嵌入孔２６と、センターロックピン２５が嵌入し担架４と受け部７とがロックされたことを検知する近接センサ９が固着される。図１中、１０は入浴者の肩が湯面から出た場合等に肩口にシャワーを充てる肩掛けシャワーである。
【００２１】
次に、図２における担架４の下側を前側とし、上側を後側として担架４の説明を行う。図２に示すように、担架４は、大別して背もたれ部１１と、臀部受け部１２及び脚受け部１３を備える座部４５と、からなる平面視略長方形状の載置部１４がベースフレーム１５上に載置されて構成される。背もたれ部１１は概ね入浴者の頭部から腰部にかけての範囲を支持し、臀部受け部１２は概ね入浴者の臀部付近を支持し、脚受け部１３は概ね入浴者の脚から下の部位を支持する。
【００２２】
ベースフレーム１５は、載置部１４の前後方向に延在され所定間隔をあけて離間して左右に並行配設されるパイプ状部材２１・２１と、このパイプ状部材２１・２１の各端部に連結され載置部１４の左右方向にわたって横架される側面視逆凹形状の横架材２２・２２とから構成される。各横架材２２の裏面には、受け部７の案内レール８・８上及び後述のストレッチャー５上に配設される案内レール６９・６９上を転動するガイドローラ２３が複数個配設されている。
また、各パイプ状部材２１の外側には介助者が担架４を操作する際に掴む握り手２４が前後方向に延在して設けられる。センターロックピン２５はパイプ状部材２１・２１間に架け渡される連結板５０の左右中央位置に設けられる。
【００２３】
図２、３に示すように、背もたれ部１１は、後側から前側にかけて順次配列される第一の背もたれ部１１ａと第二の背もたれ部１１ｂとを有し、両部間が関節軸１６によって連結され、後述するように第一の背もたれ部１１ａが関節軸１６を支軸として傾動可能になっている。第一の背もたれ部１１ａは入浴者の頭部から背中にかけての部位が載置され、第一の背もたれ部１１ａには、入浴者の頭部を宛がう枕１７が前後方向に位置調整可能に設けられている。また、第二の背もたれ部１１ｂは入浴者の背中下方から腰部付近にかけての部位が載置される。
【００２４】
同様に脚受け部１３も、後側から前側にかけて順次配列される第一の脚受け部１３ａと第二の脚受け部１３ｂとを有し、両部間が関節軸１８によって連結されている。また、第二の背もたれ部１１ｂの前側と臀部受け部１２の後側も関節軸１９によって、臀部受け部１２の前側と第一の脚受け部１３ａの後側が関節軸２０によって連結されている。載置部１４はパイプ状部材２１に関節軸１９を介して軸着されている。
【００２５】
背もたれ部１１は、第一の背もたれ部１１ａと第二の背もたれ部１１ｂが側面視で略水平状態を維持しつつ全体が一体となって関節軸１９を支軸として傾動可能であって、水平線に対する背もたれ部１１全体の傾斜角度が、０°（フラット状態）、１１°、３３°のいずれかの位置で固定できるようになっている。以下、主に、図３、４を用いて、この構成について説明する。第二の背もたれ部１１ｂ下面に一方部が螺着され前後方向に延在する角管２７側面の中途位置において支持腕３０の一端が回動軸２９により軸着され、この他端に形成される凸部３１がパイプ状部材２１の内側に取着される取着部材３３の案内溝３２に係合している。
【００２６】
支持腕３０は左右に配設され、各支持腕３０の中途位置が連結棒７２にて連結され、この連結棒７２にリンク３４の一方側が連結して設けられている。リンク３４の他方側には入浴介助者が把持できる傾動レバー２８が連結されている。従って、入浴介助者が傾動レバー２８を手動にて操作し、案内溝３２に対する支持腕３０の凸部３１の係合する位置を変更することによって背もたれ部１１全体の角度が上記のいずれかに選択できるようになっている。
より詳しくは、図３中、右上端の水平溝３２ａに凸部３１が係合しているときは、背もたれ部１１全体の角度が０°になり、そこから一段下の水平溝３２ｂに嵌ると１１°の角度になり、さらに、一山を乗り越え左端の水平溝３２ｃに嵌ると３３°の角度となる。
【００２７】
また、第一の背もたれ部１１ａが、浴槽３の上昇動作に随伴して第一の背もたれ部１１ａの水平線に対する傾斜角度が第二の背もたれ部１１ｂの水平線に対する傾斜角度より増角して傾動できるようになっている。以下、この構成について、図３、４を用いて説明する。
第一の背もたれ部１１ａ裏面の左右の各上方位置には、略コ字形状の取付金具５３が取着されていて、各取付金具５３の外側方向の面には前後方向に延在する溝５４が形成されている。また、各角管２７後端の内側面に突出片５１が固着され、突出片５１の先端に支軸５２を介して回動自在に軸着される回動片５５の一端が軸着されていて、回動片５５の他端に設けられる挿入ピン５６が溝５４から抜け出ないように溝５４に対して挿通されている。
【００２８】
また、溝５４の後側における取付金具５３の対向面の間には、対向面にわたって架け渡される回動軸５７を支軸として回動自在なレバー片５８が設けられ、レバー片５８は、回動軸５７に介装され各端がそれぞれレバー片５８及び取付金具５３に止着される捻りバネ７０（図４参照）によって、図３中、右回り方向に付勢されている。
レバー片５８の後端には傾動用ローラ６０が軸着され、傾動用ローラ６０のローラ軸６０ａは取付金具５３の対向面の後端部にそれぞれ形成される長孔５９に抜け出ないように挿通され、傾動用ローラ６０が長孔５９内を遊動自在となっている。
【００２９】
傾動用ローラ６０の軸着位置と反対側のレバー片５８の前端には突出ピン６１が担架４の外側方向に向かって突出状に設けられ、取付金具５３の内側寄り面の前端付近に回動軸６４により回動可能なフック形状の係止部材６３が突出ピン６１に係止可能に設けられている。回動軸６４には捻りバネ６２が介装され、その一端及び他端がそれぞれ係止部材６３及び取付金具５３に止着され、係止部材６３は捻りバネ６２によって突出ピン６１に係止される方向へ付勢され、取付金具５３の内側面により突出されるボルト７５に係止部材６３に形成される凸部が当接することによって図３に示す位置で右回り方向の回動が規制されるようになっている。
【００３０】
係止部材６３が突出ピン６１に係止されている状態にあっては、挿入ピン５６が溝５４内を移動不自在になっていて回動片５５が支軸５２を支点として回動できないので、第一の背もたれ部１１ａの関節軸１６を支軸とする傾動が防止される。このレバー片５８の突出ピン６１と係止部材６３とは、第一の背もたれ部１１ａが浴槽３の上昇動作以外の動作によって傾動することを防止する傾動防止手段６５の主たる構成要素となっている。
【００３１】
一方側が臀部受け部１２下面に螺着されるととともに他方側が第二の脚受け部１３ｂの先端付近まで延在する角管３５が左右に平行状に設けられ、各角管３５の外側面には逆凹形状の溝３６が形成されたプレート３７が取着されている。左右の溝３６に対して操作棒３８が挿通されており、この操作棒３８には、一端が操作棒３８に固定されるとともに他端が関節軸１８に回動自在に軸着される連結片７１が連結されている。操作棒３８両端には入浴介助者が把持する把持部材３９（図１参照）が設けられている。
【００３２】
従って、担架４は、入浴介助者が把持部材３９を把持し溝３６に対する操作棒３８の嵌る位置を変更することによって、脚受け部１３が水平状態と、関節軸１８を頂上とする山形状態に形態を変更できるようになっている。膝を立てた姿勢で入浴させる場合は、脚受け部１３を山形状態に変更する。
【００３３】
各角管３５の前後中央位置付近の内側面には水平溝４０が形成されるプレート４１が固着され、この水平溝４０には一端が横架材２２に回動自在に軸着された回動片４２の他端に形成される凸部４６が嵌っている。この水平溝４０と凸部４６は座部４５が所定角度以上に上方へ傾動しないよう規制する規制手段７３を構成する。また、各角管３５先端部の下面には転動ローラ４３が設けられている。  
【００３４】
従って、浴槽３がある位置まで上昇すると底壁３ｄに転動ローラ４３が当接し、さらに浴槽３が上昇動作すると、座部４５（臀部受け部１２と脚受け部１３）が浴槽３の上昇動作に随伴して押し上げられる結果として、座部４５全体が関節軸１９を支軸として座部４５の前側（先側）が上方に位置するように一体となり傾動する構成となっている。
【００３５】
また、角管３５先端の外側面には円弧溝４８が形成される円弧状プレート４７が設けられ、この円弧溝４８には、第二の脚受け部１３ｂ前端近傍の下面に取着され不図示のバネ等によって円弧溝４８方向に通常付勢される操作ピン４９が挿入されている。両側の操作ピン４９を円弧溝４８から抜脱すると、脚受け部１３全体が関節軸２０を支軸として上方に跳ね上げることが可能になっており、脚受け部１３裏面の清掃等を行う際に利用する。
【００３６】
平面視略長方形状のストレッチャー５は、入浴者が仰臥姿勢で横たわる担架４を上方に支持し浴槽３が設置される浴室まで入浴者を運搬するとともに、ストレッチャー５の一方長辺方向を浴槽３の一方長辺方向に横付けし係合した後、担架４を受け部７上へ渡したり、逆に受け部７から受け入れたりする役割を果たすものである。ストレッチャー５上において、担架４は載置部１４が略水平状のフラット状態になる姿勢がとれるようになっていて、寝台等に横たわる入浴者を載置部１４上に移乗へさせる動作を行い易くなっている（図１参照）。
【００３７】
前述したように水平線に対する背もたれ部１１全体の傾斜角度は、ストレッチャー５上において、０°のほか、１１°または３３°の傾斜角度にて固定できるようになっている。１１°の傾斜角度は、担架４を受け部７側へ渡す場合等に設定し、一方、３３°の角度は、背中を洗う際やフルフラット状態では横臥位姿勢をとることのできない入浴者の場合等に用いる。
【００３８】
また、詳細な説明は省略するが、ストレッチャー５は、前後左右の四箇所位置に配設される四節平行リンク６７と、この四節平行リンク６７を同期駆動させる不図示の駆動動力源とによって、担架４を支持する高さ位置を調節可能となっているので、入浴者の体を洗浄する際など必要に応じて高さ位置の調節を行うことが可能である。ストレッチャー５の担架４を支持する高さ位置は、通常はストレッチャー５を浴槽３に横付けし係合すると、ストレッチャー５の案内レール６９・６９と受け部７の案内レール８・８とが同高に同一直線上になる位置に設定されている。図１中、６８は入浴介助者が担架４を受け部７へ渡したり、逆に受け部７から担架４をストレッチャー５上に受け入れたりする際に搭乗するステップ台である。
【００３９】
以下、前述した入浴装置１の作用について説明する。浴槽３は所定下限位置にあり、ストレッチャー５上の担架４の載置部１４はフルフラット状態にあるものとする。
寝台等に横たわる入浴者を載置部１４上に移乗させる。入浴者の身長に合わせて枕１７の位置を前後に調整する。ストレッチャー５を操縦し入浴者の脚部側が浴槽３の階段面４４側に位置するように、担架４の一方長辺方向を浴槽３の一方長辺方向に対して横付けし係止する。担架４がストレッチャー５上に載置されているときは、係止部材６３が突出ピン６１に係止され傾動防止手段６５が作用しており、第一の背もたれ部１１ａと第二の背もたれ部１１ｂとは一体となって傾動し、第一の背もたれ部１１ａは関節軸１６を支軸として傾動不自在となっている。
【００４０】
担架４の受け部７方向への渡し動作に際して、最初に、担架４の傾動用ローラ６０と、浴槽３の肩掛けシャワー１０が干渉しないように、背もたれ部１１全体の傾斜角度が１１°となるよう前傾動させる。脚受け部１３は、水平状態、または、入浴時に入浴者の浴湯内へのずり込み等を防止するため、握り孔７４に手指を差し込み脚受け部１３を持ち上げた状態で、把持部材３９を操作し溝３６に対する操作棒３８の嵌る位置を変更することによって、山形状態に変更しておいてもよい。
【００４１】
また、ストレッチャー５上において座部４５は規制手段７３によって所定角度以上には上方へ傾動しないように規制されるので、何らかの拍子に脚受け部１３が上方に持ち上げられた場合であっても座部４５が不必要に傾動することを防止でき安全性を担保することができる。
【００４２】
その後、入浴介助者はストレッチャー５上においてロックされている担架４のロックを解除し（図示省略）、ステップ台６８に搭乗して握り手２４を握持し担架４を浴槽３方向へスライドさせて受け部７上面へ渡す。担架４のセンターロックピン２５が受け枠部７ｂの嵌入孔２６に嵌入し近接センサ９がＯＮとなり、近接センサ９によって担架４がロックされたことが検知されると、浴槽３の上昇動作が可能となる（図５（ａ）の状態となる）。
【００４３】
浴槽３の傾斜面６６が担架４の傾動用ローラ６０に当接する上昇位置までは、傾動防止手段６５が作用しており、背もたれ部１１全体の傾斜角度は、浴槽３の上昇動作の開始前の１１°を維持しているが、浴槽３がある上昇位置に至ると浴槽３の傾斜面６６が傾動用ローラ６０に当接し、さらに浴槽３が上昇動作を続けると、傾動用ローラ６０が長孔５９の範囲内で僅かに押し上げられ、レバー片５８が回動軸５７を支点として、図３中、左回りに回動する結果として、突出ピン６１に対する係止部材６３の係止状態が解除される（傾動防止手段６５が作用しなくなる）。これによって、以後浴槽３の上昇動作に随伴して、第一の背もたれ部１１ａが関節軸１６を支軸として前傾動できるようになる。
【００４４】
挿入ピン５６が前側溝５４ａの内壁に当接する位置にて第一の背もたれ部１１ａの傾動が規制される（図５（ｂ）の状態となる）。浴槽３がさらに上昇動作を続けると、浴槽３の上昇動作に随伴し今度は第二の背もたれ部１１ｂが関節軸１９を支軸として前傾動を開始する。このとき支持腕３０の凸部３１は水平溝３２ｂ下面に摺接しながら前方向へ移動する。
【００４５】
浴槽３が所定上限位置まで上昇すると、浴槽３は上昇動作を自動的に停止し、このときの第一の背もたれ部１１ａの水平線に対する傾斜角度は３４°となり、一方、第二の背もたれ部１１ｂの水平線に対する傾斜角度は１９°となる（図５（ｃ）の状態となる）。従って、低身長の入浴者が入浴を行う場合であっても、後頭部や耳が湯に浸かる心配はなく、安全に入浴を行うことができる。
【００４６】
一方、浴槽３の上昇過程において、座部４５は浴湯による浮力を受けており、また、ある位置まで浴槽３が上昇すると階段面４４に担架４の転動ローラ４３が当接し、以後浴槽３の上昇動作に随伴し座部４５（臀部受け部１２と脚受け部１３）が階段面４４によって押し上げられる結果として、座部４５全体が関節軸１９を支軸として自動的に上方に傾動する。浴槽３が所定上限位置に至り上昇動作が停止した際の座部４５の水平線に対する傾斜角度は５°となるように設定されている。これによって、入浴中の浮力による入浴者のずり込みを防止することができる。
【００４７】
入浴が完了すると、浴槽３を下降動作させて退浴を行う。浴槽３の下降動作に随伴して、座部４５が水平状態まで復帰傾動することになる。
その一方で、浴槽３の下降動作に随伴して、支持腕３０の凸部３１が水平溝３２ｂ下面に摺接しながら後方向へ移動し水平溝３２ｂの後端内壁にて移動が規制され、第二の背もたれ部１１ｂの傾斜角度が１９°から１１°になる位置まで復帰するよう後傾動する。
【００４８】
さらに浴槽３が下降動作を続けると、挿入ピン５６が後側溝５４ｂの内壁に当接する位置にて第一の背もたれ部１１ａの後傾動が規制され、第一の背もたれ部１１ａの傾斜角度が１１°まで復帰する。このとき第一の背もたれ部１１ａは角管２７にて支持されるように設計されている。
【００４９】
また、傾斜面６６と傾動用ローラ６０が非当接状態になると、傾動用ローラ６０が自重で長孔５９内を下方に移動しレバー片５８が回動軸５７を支点として図３中、右回りに回動することになり、これに連動して係止部材６３がレバー片５８の突出ピン６１に自動的に係止される（傾動防止手段６５が作用する）。
浴槽３が所定下限位置まで下降した後、入浴介助者は、担架４と受け部７とのロックを解除して担架４を案内レール６９上へスライドさせてストレッチャー５上で受け取る。
【００５０】
次に、図６を参照して本発明の第二の実施形態を説明する。尚、図６において、図１ないし５と同一又は同等の構成要素については、同一符号を付記して、特に説明を要する場合を除いて構成要素の説明は省略する。第二の実施形態は、第一の実施形態における角管３５を、一方側を間接軸２０に取着し他方側を第二の脚受け部１３ｂの先端付近まで延在した角管２とし、さらに臀部受け部１２をパイプ状部材２１に関節軸１９及び関節軸２０を用いて軸着する構成に変更したものである。
従って、浴槽３がある位置まで上昇すると底壁３ｄに転動ローラ４３が当接し、以後浴槽３の上昇動作に随伴して、脚受け部１３全体が関節軸２０を支軸として脚受け部１３の前側（先側）が上方に位置するように傾動する。
【００５１】
次に、図７〜１０を参照して本発明の第三の実施形態を説明する。尚、図７〜１０において、図１ないし６と同一又は同等の構成要素については、同一符号を付記して、特に説明を要する場合を除いて構成要素の説明は省略する。第三の実施形態は、第一の実施形態における担架４に、担架４が受け部７上の所定位置に載置されているとき以外は、座部４５の上方への傾動を抑制する構成を付設したものである。
【００５２】
以下、この構成について説明する。第二の脚受け部１３ｂ下方の横架材２２の左右中央位置における前側面に側面視Ｌ字状のフック部材７５が設けられている。その直立部７５ｂは横架材２２前側面の上下位置に平行配設される板状の取付部材７４に各々形成される挿通孔８２に挿通されて、平座金８０とスナップピン８１で挿通孔８２から抜け出ないように構成され、直立部７５ｂは取付部材７４に対して回転可能となっている。また、直立部７５ｂの上方は直立部７５ｂから先側が水平状に延在するように折り曲げられた曲折部７５ａに形成されている。
【００５３】
直立部７５ｂの下端近傍位置には直立部７５ｂを偏心軸とする円板状の偏心板７６がナットにて締結されている。上側の取付部材７４と曲折部７５ａの間に位置する直立部７５ｂと横架材２２上面とにわたって引張コイルバネ７７が介装されており、フック部材７５は、この引張コイルバネ７７の作用によって担架４が受け部７の所定位置に載置されているときを除いて、通常、図８の実線で示す状態になるように維持されている。
【００５４】
また、フック部材７５が設けられる側の角管３５側面には、座部４５を上方へ傾動させようとすると、図８の実線状態の曲折部７５ａに引っ掛かるように引掛ピン７８が突設されており、この曲折部７５ａと引掛ピン７８の構成によって、担架４が受け部７上の所定位置に載置されているときを除いて、座部４５の上方への傾動が抑制されている。
【００５５】
一方、図９に示すように、ストレッチャー５を浴槽３に対し横付けし係止したときに、座部４５の脚受け部１３が位置する側の浴槽３の案内レール８の中央側面位置付近には、フック部材７５を所定方向に９０°回転させることで前述した曲折部７５ａと引掛ピン７８の引っ掛かりを解放する平面視台形状の解放部材７９が固設されている。
【００５６】
次に、上記構成に基づく作用を説明する。担架４がストレッチャー５上にあるとき等は、引掛ピン７８がフック部材７５の曲折部７５ａに引っ掛かるため、座部４５を上方へ持ち上げる方向に傾動させる動作が抑制される。しかし、ストレッチャー５を浴槽３に対し横付けし係止した後、担架４を受け部７方向へ渡すため、担架４のスライドを始めると、ある位置において偏心板７６側面が解放部材７９の傾斜側面７９ａに当接し押されることによって、図１０中、右回り方向へ回動し始める。
【００５７】
さらに担架４をスライドさせて、偏心板７６側面が解放部材７９の側面７９ｂに沿う位置に至ると、フック部材７５が当初位置から９０°回動した位置になり、この状態のままセンターロックピン２５が受け枠部７ｂの嵌入孔２６に嵌入し担架４が受け部７の所定位置（図１０中、実線位置）にてロックされる。これによって、引掛ピン７８と曲折部７５ａとの引っ掛かりが解放され、座部４５が前述したように浴槽３の上昇動作に随伴して上方へ傾動可能となる。
【００５８】
入浴が終わり、偏心板７６が解放部材７９の側面に非当接となる位置まで担架４をストレッチャー５方向へ移動させると、引張コイルバネ７７の作用によってフック部材７５は当初位置まで復原する。従って、担架４が受け部７の上に載置されている以外は座部４５が不用意に傾動しないので、担架４上の入浴者に不安感を抱かせることはない。
尚、詳細な説明及び図示は省略するが、同様の構成を第二の実施形態における担架４に付設することも勿論可能である。
【００５９】
その他、本発明は前述した実施形態に限定されることなく、本発明の趣旨を逸脱しない範囲において適宜変更が可能である。
【産業上の利用可能性】
【００６０】
本発明は、高齢者や身体障害者等の入浴者を仰臥位姿勢で浴槽に浸漬させ入浴させる入浴装置及に適用できるもので、産業上の利用可能性は高いものである。
【符号の説明】
【００６１】
１    入浴装置
３    浴槽
３ａ  底壁
３ｄ  底壁
４    担架
７    受け部
１１    背もたれ部
１２    臀部受け部
１３    脚受け部
１９    関節軸
２０    関節軸
４０    水平溝
４１    プレート
４２    回動片
４５    座部
４６    凸部
７３    規制手段
７５    フック部材
７５ａ  曲折部
７５ｂ  直立部
７６    偏心板
７８    引掛ピン
７９    解放部材
７９ａ  傾斜側面
７９ｂ  側面
【図１】
2011067465.tif 000003
【図２】
2011067465.tif 000004
【図３】
2011067465.tif 000005
【図４】
2011067465.tif 000006
【図５】
2011067465.tif 000007
【図６】
2011067465.tif 000008
【図７】
2011067465.tif 000009
【図８】
2011067465.tif 000010
【図９】
2011067465.tif 000011
【図１０】
2011067465.tif 000012